(57)【要約】【課題】  デザイン性やファッション性を有する織物を表皮に使用することができ、しかも、雨水等の侵入を抑制するとともに排水することにより速やかに乾燥させることができる速乾クッションを提供する。【解決手段】  速乾クッション１は、クッション材２が織物３で被覆されていて、クッション材２は、透水性及び弾性を有する所定の厚さの三次元立体構造網状体によって形成され、織物３は、織り目を有し、表面に撥水剤を塗布又は含浸させた撥水加工が施され、周縁が底面に設けた底板４に固着され、底板４の周縁には複数個の排水口４ａが形成され、織物３及びクッション材２を通過した水を排水させる。【選択図】図１
0003207247.tif 000002
【実用新案登録請求の範囲】
【請求項１】
クッション材を織物で被覆してなるクッションであって、
前記クッション材は、透水性及び弾性を有する所定の厚さの三次元立体構造網状体によって形成され、
前記織物は、織り目を有していて、表面に撥水剤を塗布又は含浸させた撥水加工が施され、周縁が底面に設けた底板に固着され、
前記底板の周縁には複数個の排水口が形成され、前記織物及び前記クッション材を通過した水を排水させる速乾クッション。
【請求項２】
底板の底面の周縁に固着された織物には、前記底板の周縁に形成された複数個の排水口に対応した位置に透孔を形成した請求項１に記載の速乾クッション。
【考案の詳細な説明】
【技術分野】
【０００１】  本考案は、特に、屋外に設置される椅子の座部に使用されるクッションに関し、詳しくは、降雨等やシャワー等の水が掛かっても短時間に乾燥可能な速乾クッションに関する。
【背景技術】
【０００２】  特に、屋外に設置される椅子は、降雨によって雨水がかかり、着座が可能になるまでに長時間を要することから、プラスチック製或いは金属製の椅子が多用されている。ところが、これらのプラスチック製或いは金属製の椅子は、クッション性に乏しいことから、長時間の使用に耐えられず、座り心地を著しく損ねていた。【０００３】  クッション性を有する座部を備えた全天候型の椅子は、特開２００３−２０４８３５号公報（特許文献１）に開示されている。この椅子は、座部に設けた座部クッションを、座部に載置した透水性のクッション体と、下側を除いてこのクッション体を覆う表皮によって構成し、雨天の際などに表皮の回りの隙間から雨水がクッション体に浸入したときに、この雨水をクッション体を通り抜けるようにして排水している。
【先行技術文献】
【特許文献】
【０００４】
【特許文献１】特開２００３−２０４８３５号公報
【考案の概要】
【考案が解決しようとする課題】
【０００５】  上記特許文献１に開示された椅子は、クッション体を非透水性の表皮によって覆うことにより、雨水の浸入を阻止している。椅子はデザイン性やファッション性が求められ、通常の場合は、座部に好みの色彩や柄を有する織物を使用することが望まれている。しかしながら、特許文献１に開示されているような非透水性の表皮は、織物と異なることから、デザイン性やファッション性を阻害するものであった。また、ファッション性等を有する織物は、一般に保水性を有していることから、雨天の際には織物に雨水が浸透するために雨上がり時に着座すると衣類等を濡らしてしまう問題があった。さらに、一旦保水した織物は、乾燥するまでに長時間を要するため、その間に使用できない問題があった。【０００６】  本考案が解決しようとする課題は、デザイン性やファッション性を有する織物を表皮に使用することができ、しかも、雨水等が織物の織り目から侵入した場合であっても速やかに排水することにより、短時間で乾燥させることができる速乾クッションを提供することにある。
【課題を解決するための手段】
【０００７】  そこで、本考案による速乾クッションは、クッション材が織物で被覆されていて、前記クッション材は、透水性及び弾性を有する所定の厚さの三次元立体構造網状体によって形成され、前記織物は、織り目を有し、表面に撥水剤を塗布又は含浸させた撥水加工が施され、周縁が底面に設けた底板に固着され、前記底板の周縁には複数個の排水口が形成され、前記織物及び前記クッション材を通過した水を排水させることを要旨としている。【０００８】  また、底板の底面の周縁に固着された織物には、前記底板の周縁に形成された複数個の排水口に対応した位置に透孔を形成することが望ましい。
【考案の効果】
【０００９】  本考案による速乾クッションによれば、クッション材を被覆する織物が撥水加工されているので、雨天時の雨水の浸入を阻止することが可能となる。長時間又は激しい雨の場合には、織り目と通して雨水が通過することがあるが、この雨水は透水性を有するクッション材によって速やかに下降し、底板の周縁に形成された複数個の排水口から排水されることから、織物とクッション材に雨水等が貯留することが未然に防止できる。このため、速乾クッションが乾燥するまでの時間を著しく短縮させるので速乾性を持たせることが可能となる。さらに、クッション材を被覆する織物として、使用者の好みに応じたデザインやファッションを自由に選択することができるので、広範な用途に使用することが可能となる。また、織物によってクッション材が被覆されているので、座り心地を向上させることができる。また、織物には織り目が形成されていて通気性を有しているので、この織り目から織物自体及びクッション材の内部から蒸発した雨水が通過して、一層乾燥時間を短縮することが可能となる。【００１０】  また、底板の底面の周縁に固着された織物には、前記底板の周縁に形成された複数個の排水口に対応した位置に透孔が形成されているので、この透孔からクッション材を通過した雨水等を円滑に排水することが可能となる。
【図面の簡単な説明】
【００１１】
【図１】  本発明に関わる速乾クッションを示す断面図である。
【図２】  速乾クッションの底板を示す底面図である。
【図３】  水の挙動を示す説明図である。
【図４】  速乾クッションを椅子に装着した状態を示す側断面図である。
【図５】  速乾クッションの乾燥状態の一例を示す側面図である。
【考案を実施するための形態】
【００１２】  本考案による速乾クッションは、クッション材が織物で被覆されていて、前記クッション材は、透水性及び弾性を有する所定の厚さの三次元立体構造網状体によって形成され、前記織物は、織り目を有し、表面に撥水剤を塗布又は含浸させた撥水加工が施され、周縁が底面に設けた底板に固着され、前記底板の周縁には複数個の排水口が形成され、前記織物及び前記クッション材を通過した水を排水させる。
【００１３】  以下、図面に基づいて本考案の実施例を詳細に説明する。図１に示す速乾クッション１は、クッション材２と、織物３、及び、底板４によって構成されている。この速乾クッション１は、一例として、後述する椅子５の座部に使用される。
【００１４】  クッション材２は、例えば、三次元立体構造網状体からなる立体網状クッション材が好適である。この立体網状クッション材は、弾性のある弾性合成樹脂（ポリエーテルエステル系繊維）などからなり、弾性合成樹脂からなる中実または中空な連続線条体を曲がりくねらせ多数の線条体ループを形成し、線条体ループが相互に接合された三次元立体構造網状体であり、多数の線条体ループの間に隙間が形成されていることから、この隙間に水を通過させることができるので、優れた透水性を備えている。また、必要な弾性力や通気性を有している。そして、三次元立体構造網状体の密度は２０ｋｇ〜４０ｋｇ／立方メートル程度に設定され、この密度によって所望の硬さ或いは反発力を得ることができる。この立体網状クッションとしては、市販されている商品名「ブレスエアー」（東洋紡株式会社製）を使用することができる。
【００１５】  このクッション材２は、図１に示すように、中心部分を頂点とする略半球状に形成されている。そして、クッション材２の底面は、底板４に当接させている。この底板４は、木材、合成樹脂等の素材によって椅子の座部に対応させた形状の平面状に形成されている。
【００１６】  底板４の周縁には、図２に示すような排水口４ａが複数個形成されている。排水口４ａは、図示のように、底板４の端面から内方に向けて略半円状に陥没させる形状に形成することが望ましい。さらに、底板４の中央部には、複数個の空気流通孔４ｂが形成されている。この空気流通孔４ｂも排水口としての機能を有している。
【００１７】  このようにクッション材２の表面には織物３が被覆されている。この織物３の周縁は底板４の底面外周に固着されている。そして、織物３の周縁近傍は、排水口４ａの開口を被覆していることから、底板４の底面の周縁に固着された織物３には、底板４の周縁に形成された複数個の排水口４ａに対応した位置に透孔３ａが形成されている。この透孔３ａには、織物３を補強するために、例えばハトメ６を設けることが好ましく、ハトメ６の透孔が排水口４ａと外部とを連通させて水を外部に排水するようにしている。
【００１８】  織物３は、椅子用の織布が使用され、多種の織布から使用者の希望に応じた色彩、柄、織り方等であって、椅子に適した任意の織布から選択される。この織物３には、フッ素、シリコン、或いは二酸化ケイ素等の撥水剤を表面に塗布または含浸させる周知の撥水加工が施される。これによって織物３は接触角が１５０度程度の撥水効果を得ることができ、雨水等を撥水することが可能となる。また、織物３は、織布であることから織り目を有していて、織物３の表面に撥水剤を塗布または含浸させるが、織り目を完全に塞ぐことはできないので、多少の通気性を有している。
【００１９】  以上のように構成された速乾クッション１は、図４に示すように、例えば椅子５に装着される。椅子５は、一般に用いられる椅子の構成であり、詳細な説明は省略する。椅子５は、クッション装着部５１及び背もたれ装着部６２と、２本の前脚部５３及び２本の後脚部５４とを有している。クッション装着部５１は前脚部５３及び後脚部５４によって支持され、背もたれ装着部５２は後脚部５４によって支持されている。クッション装着部５１は略四角形の枠状に形成され、中間には、複数本の支持部材５１ａが設けられていて、その間は上下方向に貫通している。そして、速乾クッション１は、クッション装着部５１の内周部の段差及び支持部材５１ａの上に載置される。速乾クッション１の底板４と支持部材５１ａには、例えば面ファスナーを取り付けることにより着脱自在に固定される。なお、クッション装着部５１の内周部の速乾クッション１の排水口４ａに対応した位置には、凹所５１ｂを形成し、排水口４ａから排水される水を流通させるようにすることが望ましい。
【００２０】  次に、本考案による速乾クッション１の作用について説明する。図３に示すように、速乾クッション１の上方から雨水やシャワー等の水１０が織物３に落下する。通常の場合は図３に示すように、撥水効果によって水玉２０ａとなって織物３の表面を転動して落下する。ところが、水１０が大量の場合や長時間落下した場合には、図３及び図４に示す矢示のように、織物３の織り目を通って侵入することがある。この水１０は、クッション材２に到達する。クッション材２は、三次元立体構造網状体からなる立体網状クッション材が使用され、多数の線条体ループの間に隙間が形成されていることから、この隙間に水を通過させることができるので、優れた透水性を備えている。このため、水１０が大量の場合や長時間落下した場合、織物３を通過した水１０はクッション材２の内部を速やかに下降し、底板４の周縁に形成した排水口４ａから下方に排水される。
【００２１】  通常の場合、上述したように、撥水加工した織物３のみの撥水効果で乾燥時間を短縮させることが可能であり、少量の水が織物３から侵入した場合であっても、クッション材２を介して排水するので、短時間に乾燥させることが可能となる。使用者によって、完全に乾燥することを希望する場合は、図５に示すように、壁３０等に立てかけて乾燥させることができる。この場合、クッション材２の内部に滞留した水１０は下方に落下し、やがて速乾クッション１の一辺に集中的に到達する。その後、上述したように、水１０は下方の排水口４ａから速やかに排水される。この結果、乾燥時間を短縮することが可能となる。また、織物３は織り目を有していて、多少の通気性を有していることから、クッション材２の内部に滞留した水１０は蒸発して織物３の織り目から外部に放出されるので、乾燥時間を一層短縮することが可能となる。
【００２２】  以上、本発明を実施例に基づき具体的に説明したが、本発明は上記実施例に限定されるものではなく、その要旨を逸脱しない範囲で種々変形可能であることは言うまでもない。前述した実施例においては、速乾クッションを椅子に適用した例を説明したが、椅子以外に用いられる一般的なクッションに提要可能である。また、速乾クッションは、円形或いは多角形にしても良い。
【符号の説明】
【００２３】  １    速乾クッション
２    クッション材
３    織物
４    底板
４ａ  排水口
５    椅子
１０  水
【図１】
0003207247.tif 000003
【図２】
0003207247.tif 000004
【図３】
0003207247.tif 000005
【図４】
0003207247.tif 000006
【図５】
0003207247.tif 000007